(57)【特許請求の範囲】
【請求項１】
発光体と該発光体の発光を制御する制御装置と主電源とが電気的に接続可能となるように配置された把持部を有するペンライトと、
一時使用電源が配置され、前記把持部に着脱可能に取り付けられる制御補助部材とを有し、
前記把持部には、予め音声が記憶され該音声を制御する音声記憶制御装置が配置され、
前記把持部又は前記制御補助部材には、前記音声記憶制御装置に記憶された音声を発生させる音声発生装置が、前記音声記憶制御装置と電気的に接続可能となるように配置され、
前記主電源が入力され発光体が発光した状態で前記制御補助部材が前記把持部に取り付けられたときに、前記一時使用電源が前記制御装置と電気的に接続して前記主電源から供給される電力よりも多くの電力を供給するとともに、前記主電源から発光体への電力の供給が停止するように構成され、かつ、前記一時使用電源が前記音声記憶制御装置と音声発生装置とに電気的に接続して該音声発生装置から音声が発生されるように構成された
ことを特徴とするペンライトの制御補助構造。
【請求項２】
前記発光体が複数の発光色を有し、前記主電源が入力され前記複数の発光色のいずれかの発光色で発光した状態で前記制御補助部材が前記把持部に取り付けられたときに、前記発光色が特定の発光色に切り替わるように構成した請求項１に記載のペンライトの制御補助構造。
【請求項３】
請求項１又は２に記載のペンライトの制御補助構造を用いたペンライト。
【発明の詳細な説明】
【技術分野】
【０００１】
本発明は、コンサートや各種イベントなど（本明細書において、総称して「コンサート等」という）で主に観客や参加者が用いるペンライト、スティックライト、棒状のライトなどの発光器具（本明細書において、単に「ペンライト」と称する。本発明における「ペンライト」はこのような発光器具全般を指す。）の制御を補助するための構造及びこれを用いたペンライトに関するものである。
【背景技術】
【０００２】
近時、コンサート等の多様化に伴い、そこで用いられるペンライトに様々なニーズが生じている。今後その一つとして考えられるのが、音声を発するペンライトである。なお、本明細書において「音声」とは、人の声のほか、音楽その他音全般を含むものとする。
【０００３】
コンサート等で使用されるペンライトにおいては、音を発することは演奏等の妨げになるため、忌避ないし禁止されてきた。従来、ペンライトは、音声はもとより、構造自体においてさえ、例えば操作する際にできるだけ音を発しないように製作されている。また、通常、音を発生する機器の観客によるコンサート等会場への持ち込みは禁止されるか、電源を切って音が発生しないよう、コンサート等の主催者により指示される。
【０００４】
しかし、コンサート等の内容によっては、特定の場面で観客がペンライトから一時的に音声を発生させるようにすることが要請されつつある。これが実現すると、従来に存しない形で観客がコンサート等に参加することが可能となる。
【０００５】
しかしながら、ペンライトが音声を発生できるように構成した場合、音声の発生が禁じられている場面で、誤操作、誤作動によって音声が発生するといったリスクがある。また、ペンライトは複数のコンサート等で使用することも可能であるが、音声の発生が一切禁止されているコンサート等においては、このようなペンライト自体、使用することができない。
【０００６】
そのため、音声を発するペンライトは実現されていなかった。
【０００７】
一方、ペンライトの他のニーズとして、高出力で高輝度のものについての要請が高まっており、これらに対応する技術も提案、開発されている。
【０００８】
ただ、高出力、高輝度のペンライトは、従来に比べ飛躍的に明るく発光することができる分、電力を大量に消費するため、長時間連続して発光させるのには適さないことがあった。
【０００９】
更に、近時では、ペンライトにおける別のニーズに応えるものとして、多数の発光色で発光するペンライトが提案されている（例えば特許文献１）。このような多色で発光できるペンライトは、多いものでは２０色あまりの発光色を有するものも存する。
【００１０】
近時のコンサート等では、その企画により又は流れの中で観客が自己のペンライトを特定の色を瞬時に発光させるといった場面が存することがある。しかしながら、例えばペンライトが２０色程度の発光色を有すると、特定の発光色となるように操作するのに時間がかかることがあり、当該発光色で瞬時に発光させるのは困難となる場合があった。
【００１１】
従来において、通信によりペンライトの発光、発色を制御する技術も提案されている（例えば特許文献２）。しかしながら、通信制御にはそのための設備が必要になり、その作業のための人員も必要になる。さらに、通信によるペンライトの発色の制御はあくまでもコンサート等の主催者の主導により行われるものであり、観客自らがペンライトを操作するわけではないので、観客がコンサート等へのより積極的な参加を望む場合には適さず、実際もそのような場合には用いられていない。
【先行技術文献】
【特許文献】
【００１２】
【特許文献１】特許第５６０８８２７号公報
【特許文献２】特開２０１３−４３２３号公報
【発明の概要】
【発明が解決しようとする課題】
【００１３】
本発明は上記問題に鑑みてなされたものであり、通常のペンライトの機能を保ちながら、一時的にのみ音声を発生させ発光色を明るくさせる一方、通常使用時にはこれらを禁止することができるペンライトの制御補助構造及びこれを用いたペンライトを提供することを課題とする。
【００１４】
また、ペンライトが複数の発光色を発し得る場合に、発光している色を直ちに特定の発光色に切り替えることができるペンライトの制御補助構造及びこれを用いたペンライトを提供すること課題とする。
【００１５】
更に、上記固有の諸機能を発揮させるための電力を消費しても、ペンライトの通常使用の電力を消費せずこれを保つことができるペンライトの制御補助構造及びこれを用いたペンライトを提供すること課題とする。
【課題を解決するための手段】
【００１６】
本発明は、普段（通常時）はペンライトの従来の機能のみが発揮されるようにしながら、必要な場面でのみ、特定の機能が発揮できるように構成することにより、上記課題の解決を図る。
【００１７】
すなわち、上記課題を解決するため、本発明は、第１の側面として、発光体と該発光体の発光を制御する制御装置と主電源とが電気的に接続可能となるように配置された把持部を有するペンライトと、一時使用電源が配置され、前記把持部に着脱可能に取り付けられる制御補助部材とを有し、前記把持部には、予め音声が記憶され該音声を制御する音声記憶制御装置が配置され、記把持部又は前記制御補助部材には、前記音声記憶制御装置に記憶された音声を発生させる音声発生装置が、前記音声記憶制御装置と電気的に接続可能となるように配置され、前記主電源が入力され（電源が入り）発光体が発光した状態で前記制御補助部材が前記把持部に取り付けられたときに、前記一時使用電源が前記制御装置と電気的に接続して前記主電源から供給される電力よりも多くの電力を供給するとともに、前記主電源から発光体への電力の供給が停止するように構成され、かつ、前記一時使用電源が前記音声記憶制御装置と音声発生装置とに電気的に接続して該音声発生装置から音声が発生されるように構成されたことを特徴とするペンライトの制御補助構造を提供する。
【００１８】
また、第２の側面として、本発明は、前記発光体が複数の発光色を有し、前記主電源が入力され前記複数の発光色のいずれかの発光色で発光した状態で前記制御補助部材が前記把持部に取り付けられたときに、前記発光色が特定の発光色に切り替わるように構成したペンライトの制御補助構造を提供する。
【００１９】
また、第３の側面として、本発明は、上記のペンライトの制御補助構造を用いたペンライトを提供する。
【発明の効果】
【００２０】
本発明によれば、通常のペンライトの使用とは別途、特定の場合にのみ音声が発生される構造とするため、ペンライトの通常の使用時に誤操作により音声が発生されることを可及的に防ぐことができる。
【００２１】
また、本発明によれば、通常のペンライト使用のための電力を消費することなく、一時的に発光を強めることができる。
【００２２】
更に、ペンライトが複数の発光色を発し得る場合においては、発光している色を直ちに特定の発光色に切り替えることができる。
【図面の簡単な説明】
【００２３】
【図１】本発明の一実施形態にかかる図であり、ペンライトの把持部の内部構造を示す図である。
【図２】本発明の一実施形態にかかる図であり、（Ａ）は図１と同じ角度から見た把持部の外観を示す図であり、（Ｂ）は図１の把持部を下方から見た図（底面図）である。
【図３】本発明の一実施形態にかかる図であり、制御補助部材の内部構造を示す図である。
【図４】本発明の一実施形態にかかる図であり、（Ａ）は図３と同じ角度から見た制御補助部材の外観を示す図であり、（Ｂ）は図３の制御補助部材を上方から見た図（平面図）である。なお、図３の制御補助部材につき、正面から見た図を（Ｃ）に、背面から見た図を（Ｄ）に、底面からみた図を（Ｅ）に示す。
【図５】本発明の一実施形態にかかる図であり、把持部に制御補助部材を取り付けた状態の内部構造を示す図である。
【図６】本発明の一実施形態にかかる図であり、把持部に制御補助部材を取り付けた状態のペンライトの外観を示す図である。
【図７】本発明の一実施形態にかかる図であり、音声発生装置を制御補助部材に配置した場合の一例を示す図である。
【図８】従来のペンライトの把持部の内部構造を示す図である。
【発明を実施するための形態】
【００２４】
以下、本発明のペンライトの制御補助構造及びこれを用いたペンライトに係る実施形態を、図面を参照しながら具体的に説明する。
【００２５】
（実施形態１）
ペンライトの主たる目的は発光であり、従来のペンライトはそのための要素として発光体と制御装置と電源とを有し、これらは通常把持部の内部に配置される。従来のペンライトの把持部の一例を、図８に示す。把持部１０１の内部に、発光体１０２と制御装置１０３と電源１０４（電源として乾電池を用いたものを図示する）が配置される。
【００２６】
本発明の把持部の一例を、図１及び図２に示す。図１は把持部１の内部構造を示し、図２（Ａ）は図１と同じ角度から見た把持部１の外観（右側面図。左は対称に表れる。）を示している。また、図２（Ｂ）は、この把持部１を下方から見た外観（底面図）を示している。
【００２７】
図１に示されるように、本発明において、把持部１の内部に、発光体２と、該発光体の発光を制御する制御装置３と、主電源４が配置される。発光体には主としてＬＥＤが用いられるが（図１では複数のＬＥＤが図示されている）、必ずしもこれに限られない。主電源には乾電池やボタン電池が用いられる。本実施形態においては、３個（図１には２個のみ現れている）の単４電池が用いられる。制御装置３は、発光体による発光を制御する。主電源の入力時（図１ではスイッチ６が入れられたとき）に主電源と制御装置と発光体がケーブル等により電気的に接続されて発光体が発光されるように構成される。
【００２８】
本発明においては更に、把持部１に、音声発生装置７と音声記憶制御装置５とが配置され、これらが電気的に接続可能となるように構成される。音声記憶制御装置５は、特定の音声を予め記憶する（音声メモリー機能を有する）とともに、音声の発生などを制御する。音声発生装置７は、音声記憶制御装置５から信号を受けると、この予め記憶された音声を発生する（スピーカーの機能を有する）。なお、制御装置３と音声記憶制御装置５は、一つの装置としてもよい。
【００２９】
本発明においては、把持部とは別の部材として、制御補助部材が設けられる。制御補助部材の一例を図３、図４に示す。図３は制御補助部材８の内部構造を示し、図４（Ａ）は図３と同じ角度から見た制御補助部材８の外観（右側面図。左は対称に表れる。）を示している。また、図４（Ｂ）は、この制御補助部材８を下方から見た外観（底面図）を示している。なお、図４（Ｃ）は正面を、（Ｄ）は背面を、（Ｅ）は底面を、それぞれ表している。
【００３０】
制御補助部材８には一時使用電源９が配置される。制御補助部材８を把持部１に取り付けた際、後述のように電流の供給量が大きくなるように設定し得るため、一時使用電源にはある程度の電力量を確保できる乾電池を用いるのが好ましい。本実施形態においては、４個（図３には２個のみ現れている）の単４電池を用いるものとする。
【００３１】
制御補助部材は、把持部に着脱可能に取り付けられる。例えば図１及び図５に示されるように、制御補助部材８に設けられた突起部１０を、把持部１に設けられた孔１１に挿入して留め部１２に引っ掛けることにより、制御補助部材８を把持部１に取り付ける。留め部１２にはバネ１３が設けられており、その付勢力が働くため、制御補助部材８は把持部１に確実に取り付けられる。取り付け時、把持部１に設けられた解除部１４と、制御補助部材８に設けられた孔１５が係合する。解除部１４を押すと、留め部１２が押されて移動し、突起部１０が留め部１２から外れることにより、制御補助部材８を把持部１から取り外すことができる。
【００３２】
図３に示される制御補助部材８を図１に示される把持部１に取り付け後の状態を図５に示す。また、把持部１に発光部カバー部材１９を取り付けたペンライト全体の状態を図６に示す。
【００３３】
図１、図２（Ｂ）、図４（Ｂ）等に示されるように、把持部１と制御補助部材８にはそれぞれ端子１６、端子１７が備えられ、制御補助部材８を把持部１に取り付けたときに、両端子が接触するように配置されている。把持部の端子１６はケーブル１８により制御装置５と電気的に接続可能に構成されている。
【００３４】
主電源が入力され発光体が発光している状態で制御補助部材８が把持部１に取り付けられると、一時使用電源９が音声記憶制御装置５、制御装置３と電気的に接続する。この接続時に、一時使用電源９から電力が供給されるとともに、主電源４から発光体２への電力の供給が停止するように制御装置を設定する。
【００３５】
更に、把持部１に制御補助部材８を取り付けた際に一時使用電源８から供給される電力が主電源から供給される電力よりも多くなるように、制御装置を設定する。
【００３６】
以上のように構成し、上記状態で制御補助部材を把持部に取り付けると、それまで主電源から供給されていた電力を上回る電力が一時使用電源から供給されるため、発光体がより一層明るく発光するように切り替えられることとなる。
【００３７】
この場合、主電源４の電力は制御補助部材８の取り付け前に通常の使用によりある程度消費されているため、かかる発光量の増加を主電源からの電力から得ることは困難な状態であることが多い。例えば、単四電池を３本使用すると当初は約４．５Ｖの電圧が得られるものの、発光量を増加させようとした時点では、それまでのペンライトの通常使用により電力が消費されており、主電源では発光量を増加させるに充分な電力が得られないこととなる。しかしながら、本発明においては、一時使用電源９を設け、制御補助部材の取り付け時に一時使用電源から電力を得るようにしているため、発光量の増加のために十分な量の電力を供給することが可能となる。
【００３８】
更に、一時使用電源９から電力が供給されるときは主電源４からの電力の供給が停止されるため、制御補助部材８を把持部１から取り外して通常使用に戻した際の電力は、主電源４において保持されている。よって、かかる発光量の増加や、後述の音声発生を行うようにしても、ペンライトの通常使用に何ら支障をきたさないものとすることができる。
【００３９】
以上に加え、主電源４が入力され発光体２が発光している状態で、制御補助部材８が把持部１に取り付けられたとき、音声記憶制御装置５が音声発生装置７と電気的に接続して信号を送り、該音声発生装置７から記憶された音声を発生させるように音声記憶制御装置５を設定する。
【００４０】
これにより、制御補助部材を把持部に取り付けた時のみ、音声が発生されるものとなる。本発明によらずに単に把持部から音声を発し得るように構成した場合、ペンライトの通常の使用時に把持部を誤って操作することで音声が発せられてしまうことがあり得るが、本発明によれば、かかる把持部の誤操作による音声発生のおそれを防ぐことが可能となる。
【００４１】
音声記憶制御装置５を、主電源４でなく一時使用電源９のみと電気的に接続するように構成すると、制御補助部材８を取り付けない限り音声が発生されないこととなるため、誤作動により音声が発生されることが防止される。
【００４２】
本発明よれば、コンサート等において予め決められた音声を特定の場面において観客が自らペンライトを操作して一斉に発することができるようになるため、コンサート等において従来にはない一体感等を形成することが可能となる。また、音声記憶制御装置には例えばアーティストの音声を記憶させることなども可能であるため、需要者に対し、好みのアーティストの音声を発生させるペンライトを提供することが可能となる。
【００４３】
音声の発生は、制御補助部材を把持部に取り付けた時に一回のみ発生するように設定することもでき（なお、設定は必ずしもこれに限定されない）、それによれば、上記状態で制御補助部材を把持部に取り付けた時点でのみ、ペンライト（の把持部）から音声が発せられるものとなる。
【００４４】
音声発生装置７は、把持部１ではなく制御補助部材８に設けることも可能である。この場合の例を図７に示す。
【００４５】
このように構成すれば、把持部のサイズを従来程度に保ったまま、ペンライトの通常の使用時に装置の誤作動により音声が発せられることを無くすことができる。更に、異なる音声が記憶された音声発生装置７を有する制御補助部材を複数用意すれば、かかる制御補助部材を取り替えて把持部に取り付けるだけで、異なる音声の発生が得られるものとなる。
【００４６】
（実施形態２）
本実施形態は、発光体が複数の発光色を有する場合の発光色の切り替えに関するものである。
【００４７】
主電源が入力され発光体がいずれかの発光色を発光している状態において、制御補助部材が把持部に取り付けられたとき、制御装置が発光体に信号を送り、特定の発光色に切り替えるように制御装置を設定する。
【００４８】
例えば、特定の色として青色を設定した場合、発光体が赤色を発光発色している状態で、制御補助部材が把持部に取り付けられると、直ちに青色の発光に切り替わる。この場合、発光体は何色で発光発色していても、青色の発光に切り替わるものとなる。
【００４９】
本発明によれば、例えばペンライトが２０色等多数の発光色を有する場合において、特定の色を瞬時に発光させたいようなときに、制御補助部材が把持部に取り付けるだけで直ちに特定の発光色が得られるものとなる。近時は、例えば複数のメンバーからなるアーティストグループにおいて、構成メンバーが各自イメージカラーを持ち、コンサートの経過の中で観客が好みのメンバーのイメージカラーでペンライトを発光発色させるという局面がみられる。本発明によれば、観客がコンサート中に所望の発光発色に直ちに切り替え、しかも同時に明るく発光させることが可能となり、かかる点の効果が顕著である。
【００５０】
なお、発光量の増加において、発光色によってはより多くの電力を消費することとなる場合がある。例えば、当業界の消費者において一般に好まれることが多いオレンジ系をＬＥＤで発光発色させる場合、発光時の調色に複数のＬＥＤにより、例えば赤色、黄色、緑色を発光させてかかる発光色を得る必要があるため、その使用電力が増大する。しかしながら、本発明によれば、上記のとおりかかる場合の電力を制御補助部材から得るものとしているので、充分な電力が得られるとともに、これによる電力使用後も、ペンライトの通常使用のための電力に影響を及ぼさない（通常使用のための電力は消費されず維持される）。
【産業上の利用可能性】
【００５１】
本発明によれば、通常のペンライトの使用とは別途、特定の場合にのみ音声が発生される構造とするため、ペンライトの通常の使用時に誤操作、誤作動により音声が発生されることを可及的に防ぐことができる。これにより、コンサート等において、これまで実現が困難であった音声を発生し得るペンライトを導入することが可能となる。
【００５２】
また、本発明によれば、通常のペンライト使用のための電力を消費することなく、一時的に発光を強めることができる。
【００５３】
更に、ペンライトが複数の発光色を発し得る場合においては、発光している色を直ちに特定の発光色に切り替えることができる。すなわち、コンサート等で会場全体が特定の色のペンライトを瞬時に発色させて一体感を生じさせるなどの場面において、観客が自ら積極的に参加し、かかる一体感を得ることが可能となる。
【００５４】
従って、本発明は当業界に多くの貢献をもたらすことができるものであり、産業上の利用可能性は極めて高い。
【符号の説明】
【００５５】
１、１０１  把持部
２、１０２  発光体
３、１０３  制御装置
４  主電源
５  音声記憶制御装置
６  スイッチ
７  音声発生装置
８  制御補助部材
９  一時使用電源
１０  突起部
１１  孔
１２  留め部
１３  バネ
１４  解除部
１５  孔
１６、１７  端子
１８  ケーブル
１９  発光部カバー部材
１０４  電源
【図１】
0006621340.tif 000002
【図２】
0006621340.tif 000003
【図３】
0006621340.tif 000004
【図４】
0006621340.tif 000005
【図５】
0006621340.tif 000006
【図６】
0006621340.tif 000007
【図７】
0006621340.tif 000008
【図８】
0006621340.tif 000009